(57)【要約】【課題】アースアンカー工法による処分区画の側壁の構築と、防水被覆層による該側壁の防水とを両立できる山留壁構造物を提供する。【解決手段】山留壁構造物１は、アースアンカー工法による山留壁２と、アンカーヘッド６を山留壁２に対して支持するアンカー台座８と、アンカーヘッド３及びアンカー台座８を覆うアンカーカバー１３と、山留壁２の壁面を、アンカーカバー１３を含めて一体的に被覆する防水被覆層１４とを備える。防水被覆層１４は、山留壁２を覆う壁面被覆部１９と、アンカーカバー１３を覆うカバー被覆部２０とを有する。【選択図】図１
2015001074.tif 000002
【特許請求の範囲】
【請求項１】
アースアンカー工法で地盤に形成される山留壁と、
前記山留壁から基端部が突出したテンドン及び該基端部に固定されるアンカーヘッドを有するアースアンカーと、
前記アンカーヘッドを、前記テンドンに付与される緊張力に抗して、前記山留壁に対して支持するアンカー台座と、
前記山留壁側が開放された容器状の形態を有し、前記アンカーヘッド及び前記アンカー台座を含む空間を覆うアンカーカバーと、
前記山留壁の壁面を、前記アンカーカバーを含めて一体的に被覆する防水被覆層とを備え、
前記防水被覆層は、
前記山留壁をその壁面に沿って覆う壁面被覆部と、
前記アンカーカバーをその外面に沿って覆うカバー被覆部とを一体として有することを特徴とする山留壁構造物。
【請求項２】
前記山留壁を支持する腹起しを備え、
前記防水被覆層は、前記腹起しをその形状に沿って覆う腹起し被覆部を有し、
前記アンカー台座は、前記腹起しと前記アンカーヘッドとの間に介在して該アンカーヘッドを支持し、
前記アンカーカバーは、前記腹起しと交差し、その交差部分において該腹起しとの干渉を回避する切欠き部を有することを特徴とする請求項１に記載の山留壁構造物。
【請求項３】
前記防水被覆層は、保護シート、遮水シート及び最も外側のウレタン層を備えることを特徴とする請求項１又は２に記載の山留壁構造物。
【発明の詳細な説明】
【技術分野】
【０００１】
本発明は、アースアンカー工法で地盤に形成される山留壁を備えた山留壁構造物に関する。
【背景技術】
【０００２】
アースアンカー工法で地盤に形成される山留壁は、アースアンカーにより、地盤に対して確実に定着される。アースアンカーは、先端部が地盤に固定され、基端部が山留壁から突出したテンドン及び当該基端部に固定されるアンカーヘッドを備える。テンドンは、棒状のＰＣ鋼や、ＰＣ鋼より線等で構成される。
【０００３】
山留壁をアースアンカーで地盤に定着させる際には、テンドンに緊張力が付与された状態で、アンカーヘッドがアンカー台座により山留壁に対して支持される。これにより、テンドンの緊張力が、アンカー台座を介して山留壁を地盤に押厚して固定する（例えば、特許文献１参照）。
【０００４】
一方、廃棄物の最終処分場では、廃棄物を埋め立てて処分するための窪地としての処分区画が、その周囲の地盤との境界に垂直な側壁を構築しながら、その側壁の内側を掘り下げてゆくことにより造成される。
【０００５】
また、処分区画を廃棄物で埋め立てた後、廃棄物からの浸出水が周囲に漏出するのを防止して浸出水の管理を容易にするために、側壁の壁面を防水被覆層で覆う技術が知られている（例えば、特許文献２参照）。この防水被覆層は、２枚の保護シートと２枚の遮水シートを交互に重ね、その外側にウレタンを吹き付けることにより構成される。
【先行技術文献】
【特許文献】
【０００６】
【特許文献１】特開２００７−１７７５１７号公報
【特許文献２】特許第４３９７０５０号公報
【発明の概要】
【発明が解決しようとする課題】
【０００７】
廃棄物の最終処分場は、地盤が不安定な場所に設けられる場合がある。また、廃棄物を埋め立てて処分するための処分区画は、ある程度深く掘り下げて形成する必要もある。この点、アースアンカー工法による山留壁は、地盤に対して確実に山留壁を定着させることができ、かつ山留壁の高さにおいても自由度が高いので、処分区画の側壁を構築するのに適している。
【０００８】
したがって、処分区画の側壁を、アースアンカー工法による山留壁として構築し、かつその壁面に、上述の防水被覆層を設けることができれば好都合である。
【０００９】
しかしながら、アースアンカー工法で山留壁を構築する場合、山留壁からアンカーヘッドやアンカー台座が突出した状態となる。このような山留壁として処分区画の側壁を構築し、防水被覆層を設け、側壁の内側を廃棄物で埋め立てる場合には、廃棄物による圧力が防水被覆層に作用する。
【００１０】
このため、防水被覆層に作用する廃棄物からの圧力が、アンカーヘッドやアンカー台座の突出部分に集中し、その部分から防水被覆層が破断するおそれがある。したがって、アースアンカー工法による処分区画の側壁の構築と、その側壁の防水被覆層による防水とを両立させるのは、現状では困難である。
【００１１】
本発明の目的は、かかる従来技術の課題に鑑み、アースアンカー工法による処分区画の側壁の構築と、防水被覆層によるその側壁の防水とを支障なく両立させることができる山留壁構造物を提供することにある。
【課題を解決するための手段】
【００１２】
本発明の山留壁構造物は、アースアンカー工法で地盤に形成される山留壁と、前記山留壁から基端部が突出したテンドン及び該基端部に固定されるアンカーヘッドを有するアースアンカーと、前記アンカーヘッドを、前記アースアンカーに付与される緊張力に抗して、前記山留壁に対して支持するアンカー台座と、前記山留壁側が開放された容器状の形態を有し、前記アンカーヘッド及び前記アンカー台座を含む空間を覆うアンカーカバーと、前記山留壁の壁面を、前記アンカーカバーを含めて一体的に被覆する防水被覆層とを備え、前記防水被覆層は、前記山留壁をその壁面に沿って覆う壁面被覆部と、前記アンカーカバーをその外面に沿って覆うカバー被覆部とを一体として有することを特徴とする。
【００１３】
本発明によれば、アースアンカー工法で構築された山留壁から突出するアンカーヘッドやアンカー台座がアンカーカバーで覆われる。山留壁は、アンカーカバーとともに一体的に防水被覆層で被覆される。その際、アンカーカバーは、その外面に沿って、防水被覆層のカバー被覆部により覆われる。
【００１４】
このため、山留壁の内側が廃棄物で埋め立てられて廃棄物からの圧力が防水被覆層に付与されるとき、防水被覆層のカバー被覆部に付与される圧力は、アンカーカバーの外面により支持される。例えば、アンカーカバーとして、山留壁側の面が開放された中空の直方体形状のものを採用した場合、付与される圧力は、他の５つの面により支持される。
【００１５】
この場合、当該５つの面は、付与される圧力を、防水被覆層に破断方向の歪を生じさせることなく、均等に支持することができる。すなわち、直接アンカーヘッドやアンカー台座を防水被覆層で被覆した場合のように、防水被覆層に破断を生じさせるほどの圧力の集中が生じることはない。なお、アンカーカバーとして、山留壁側が開放された半球状のものや、円柱状のものを採用した場合でも、同様の効果を得ることができる。
【００１６】
したがって、廃棄物の最終処分場における処分区画の側壁を構築する場合に、アースアンカー工法による山留壁としての当該側壁の構築と、防水被覆層による当該側壁の防水とを支障なく両立させ得る山留壁構造物を提供することができる。
【００１７】
本発明において、前記山留壁を支持する腹起しを備え、前記防水被覆層は、前記腹起しをその形状に沿って覆う腹起し被覆部を有し、前記アンカー台座は、前記腹起しと前記アンカーヘッドとの間に介在して該アンカーヘッドを支持し、前記アンカーカバーは、前記腹起しと交差し、その交差部分において該腹起しとの干渉を回避する切欠き部を有してもよい。
【００１８】
これによれば、アンカーカバーは、腹起しと交差するにも拘らず、アンカーヘッド及びアンカー台座を含む空間を、山留壁の壁面に接する裾の部分に至るまで十分に覆うことができる。
【００１９】
これにより、防水被覆層の内側を、極力隙間なく支持し、防水被覆層に付与される廃棄物からの圧力を支障なく支持することができる。したがって、腹起しを有する場合でも、支障なく、アースアンカー工法による処分区画の側壁の構築と、防水被覆層による当該側壁の防水とを両立させることができる。
【００２０】
本発明において、前記防水被覆層は、保護シート、遮水シート及び最も外側のウレタン層を備えてもよい。これによれば、廃棄物からの圧力を、保護シート及びウレタン層により効果的に分散させて遮水シートの破断を防止し、防水被覆層の機能を良好に維持することができる。したがって、アースアンカー工法による処分区画の側壁の構築と、防水被覆層による当該側壁の防水とを、さらに支障なく両立させることができる。
【図面の簡単な説明】
【００２１】
【図１】（ａ）は、本発明の一実施形態に係る山留壁構造物の構成を示す平面図、（ｂ）は、（ａ）のＢ−Ｂ線断面図である。
【図２】図１の山留壁構造物におけるアンカーカバーの斜視図である。
【図３】図１の山留壁構造物の防水被覆層を山留壁の内側から見た様子を示す斜視図である。
【発明を実施するための形態】
【００２２】
以下、図面を用いて本発明の実施形態を説明する。図１（ａ）は、実施形態に係る山留壁構造物の構成を示す平面図である。図１（ｂ）は、図１（ａ）のＢ−Ｂ線断面図である。この山留壁構造物１は、廃棄物の最終処分場において、廃棄物を埋め立てて処分するための処分区画を周囲の地盤から区画する垂直側壁を構成する。なお、図１（ａ）では、後述する防水被覆層１４の図示が省略されている。
【００２３】
図１に示すように、山留壁構造物１は、アースアンカー工法で地盤Ｅに形成される山留壁２と、山留壁２を地盤に定着させるためのアースアンカー３とを備える。山留壁２は、地盤Ｅに対して、水平方向に一定の間隔を置いて鉛直方向に打ち込まれた複数の親杭４と、隣り合う親杭４の間に水平方向に渡されて地盤Ｅを支持する複数の横矢板５とを備える。
【００２４】
親杭４としては、Ｈ型鋼が用いられる。横矢板５は、親杭４の内側と地盤Ｅの土との間に挿入される。アースアンカー３としては、山留壁２の高さに応じ、複数段のアースアンカー３が設置される。１つの段には、山留壁２の水平方向の長さに応じた数のアースアンカー３が含まれる。
【００２５】
各アースアンカー３は、基端部が山留壁２から突出したテンドン３ａ及び当該基端部に固定されるアンカーヘッド６を備える。テンドン３ａは、棒状のＰＣ鋼や、ＰＣ鋼より線等で構成される。
【００２６】
また、山留壁構造物１は、各アンカーヘッド６の上側及び下側においてそれぞれ山留壁２を支持する腹起し７ａ及び７ｂと、腹起し７ａ及び７ｂ上でアンカーヘッド６を支持するアンカー台座８とを備える。アンカー台座８は、アースアンカー３のテンドン３ａに付与された緊張力に抗して、アンカーヘッド６を支持する。
【００２７】
腹起し７ａ及び７ｂは、水平方向に対して平行に配置される。腹起し７ａ及び７ｂは、アースアンカー３の水平方向の数に応じて、適宜、水平方向に接続され、延長される。また、腹起し７ａ及び７ｂとしては、例えばＨ型鋼が用いられる。腹起し７ａ及び７ｂは、それぞれ、親杭４に溶接等で設けられた上側及び下側のブラケット９ａ及び９ｂにより支持される。
【００２８】
アンカー台座８は、対応する上下の腹起し７ａ及び７ｂに跨がり、上下の腹起し７ａ及び７ｂ上でアンカーヘッド６を支持する。これにより、アースアンカー３に付与されている緊張力が、アンカー台座８及び腹起し７ａ及び７ｂを介して山留壁２を押圧し、山留壁２を地盤Ｅに確実に定着させる。
【００２９】
アンカー台座８は、ほぼ五角形状の２枚の鋼板１０を相互に平行にかつ腹起し７ａ及び７ｂと直交するように配置し、かつ２枚の鋼板１０間を複数の板材で連結して構成される。五角形状の１辺は、対応する上下の腹起し７ａ及び７ｂに跨る長さを有し、その両端の２辺が水平方向に沿って延び、その２辺の端縁を他の２辺が直列的に接続する。当該他の２辺のうちの上側の辺は、アースアンカー３とほぼ直交する。
【００３０】
２枚の鋼板１０を連結する複数の板材のうちの１枚が、アンカーヘッド６を支持するアンカープレート１１を構成する。アンカープレート１１は、２枚の鋼板１０のアースアンカー３とほぼ直交する辺を相互に連結する。これにより、アンカープレート１１は、アースアンカー３にほぼ直交し、アンカーヘッド６を適切に支持することができる。
【００３１】
また、２枚の鋼板１０を連結する板材のうちの別の一枚は、下側の腹起し７ｂに対して鉛直方向に接してアンカー台座８の鉛直方向の位置を決める凸部１２を構成する。凸部１２は、２枚の鋼板１０における腹起し７ａ及び７ｂに跨る長さを有する辺を相互に連結する。
【００３２】
また、山留壁構造物１は、アンカーヘッド６及びアンカー台座８を含む空間を覆うアンカーカバー１３と、山留壁２の壁面を、アンカーカバー１３の外面を含めて一体的に被覆する防水被覆層１４とを備える。
【００３３】
図２は、アンカーカバー１３の斜視図である。図２に示すように、アンカーカバー１３は、山留壁２側が開放された容器状の形態のものであり、ほぼ直方体の形状を有する。その開放された山留壁２側の面の水平方向両側に隣接する各側壁には、腹起し７ａ及び７ｂと交差する部分において腹起し７ａ及び７ｂとの干渉を回避する切欠き部１５が設けられる。
【００３４】
図１（ｂ）において拡大して示すように、防水被覆層１４は、山留壁２側から、保護シート１６ａ、遮水シート１７ａ、保護シート１６ｂ、遮水シート１７ｂ及びウレタン層１８を、この順で重ねて構成される。
【００３５】
図３は、防水被覆層１４を山留壁２の内側（地盤Ｅと反対側）から見た様子を示す。図３に示すように、防水被覆層１４は、山留壁２（図１参照）をその壁面に沿って覆う平坦な壁面被覆部１９と、アンカーカバー１３をその外面に沿って覆う凸状のカバー被覆部２０と、腹起し７ａ及び７ｂをその形状に沿って覆う腹起し被覆部２１とを有する。
【００３６】
腹起し被覆部２１は、腹起し７ａ及び７ｂにおけるアンカーカバー１３で覆われていない部分を覆う。壁面被覆部１９、カバー被覆部２０及び腹起し被覆部２１は、隙間なく連続している。
【００３７】
カバー被覆部２０は、アンカーカバー１３の外面に沿った直方体形状を有する。腹起し被覆部２１は、腹起し７ａ及び７ｂの形状に従い、横断面が矩形状である凸条の形態を有する。
【００３８】
山留壁構造物１を適用して廃棄物を埋め立てるための凹状の処分区画を構築するに際しては、まず、処分区画の境界部分の地盤Ｅに対し、アースアンカー工法により山留壁２を形成する。
【００３９】
すなわち、処分区画の境界に沿って、所定の間隔を置いて親杭４を打ち込む。そして、境界の内側を掘り下げながら、各隣り合う親杭４の間に横矢板５を設置してゆく。掘り下げた深さが所定値に達したら、各隣り合う親杭４の中間位置において、地盤Ｅに対し、３０°程度下向きに穿孔を行う。
【００４０】
次に、形成した孔にテンドン３ａを先端側から挿入し、さらにセメントミルクを圧入して固化させる。これにより、アースアンカー３のアンカーヘッド６以外の部分が形成される。
【００４１】
次に、ブラケット９ａ及び９ｂを各親杭４に溶接して固定し、各ブラケット９ａ及び９ｂに腹起し７ａ及び７ｂをそれぞれ支持させる。さらに、各腹起し７ａ及び７ｂ上にアンカー台座８を配置し、そのアンカープレート１１の孔から対応するテンドン３ａの基端部を突出させ、そのテンドン３ａにアンカーヘッド６を取り付ける。
【００４２】
そして、テンドン３ａに緊張ジャッキで緊張力を付与し、テンドン３ａの基端部をアンカーヘッド６に定着させる。これにより、山留壁２が、テンドン３ａの緊張力により、アンカーヘッド６、アンカー台座８、並びに腹起し７ａ及び７ｂを介し、地盤Ｅに対して確実に固定される。
【００４３】
これにより、アンカーヘッド６の１段分に対応する山留壁２の形成が完了する。さらに、必要とする処分区画の深さに応じ、同様の手順で、必要な段数のアンカーヘッド６を設けながら、山留壁２を形成してゆく。山留壁２が必要な高さに達したら、山留壁２の形成が完了する。
【００４４】
次に、処分区画の周囲に形成された山留壁２から突出している各アンカーヘッド６及びアンカー台座８の部分にアンカーカバー１３を被せる。さらに、山留壁２の壁面を、各アンカーカバー１３及び各腹起し７ａ及び７ｂを含めて一体的に防水被覆層１４で被覆する。
【００４５】
このとき、アンカーカバー１３は、その外面に沿って、防水被覆層１４のカバー被覆部２０で覆われる。腹起し７ａ及び７ｂは、その形状に沿って、防水被覆層１４の腹起し被覆部２１で覆われる。アンカーカバー１３並びに腹起し７ａ及び７ｂが存在する箇所以外の山留壁２の部分は、防水被覆層１４の壁面被覆部１９で覆われる。
【００４６】
これにより、山留壁構造物１の構築が完了する。構築された山留壁構造物１の内側は、廃棄物で埋め立てられることになる。
【００４７】
本実施形態によれば、次のような効果が得られる。すなわち、山留壁構造物１では、アースアンカー工法で構築された山留壁２から突出するアンカーヘッド６やアンカー台座８がアンカーカバー１３で覆われ、その外側が、山留壁２とともに一体的に防水被覆層１４で被覆される。
【００４８】
このため、処分区画の内側に廃棄物が埋め立てられて廃棄物からの圧力が防水被覆層１４に付与されても、アンカーヘッド６やアンカー台座８の突出部に起因して防水被覆層１４の一部に破断を生じさせるほどの圧力の集中が生じることはない。したがって、アースアンカー工法による山留壁２としての処分区画の内壁の構築と、防水被覆層１４による当該内壁の防水とを支障なく両立させることができる。
【００４９】
また、防水被覆層１４は、腹起し７ａ及び７ｂをその形状に沿って覆う腹起し被覆部２１を有し、アンカーカバー１３は、腹起し７ａ及び７ｂとの交差部分において腹起し７ａ及び７ｂとの干渉を回避する切欠き部１５を有する。これにより、アンカーカバー１３は、腹起し７ａ及び７ｂと交差するにも拘らず、アンカーヘッド６及びアンカー台座８の部分を、山留壁２の壁面に接する裾の部分に至るまで十分に覆うことができる。
【００５０】
これにより、防水被覆層１４を、山留壁２、アンカーカバー１３並びに腹起し７ａ及び７ｂで極力隙間なく支持することができる。これにより、防水被覆層１４に付与される廃棄物からの圧力を、支障なく支持することができる。したがって、腹起し７ａ及び７ｂを有する場合でも、支障なく、アースアンカー工法による山留壁２の構築と、防水被覆層１４による山留壁２の防水とを両立させることができる。
【００５１】
また、防水被覆層１４は、保護シート１６ａ、１６ｂ、遮水シート１７ａ、１７ｂ及び最も外側のウレタン層１８を備えるので、廃棄物からの圧力を、保護シート１６ａ、１６ｂ及びウレタン層１８により効果的に分散させることができる。これにより、遮水シート１７ａ、１７ｂの破断を防止し、防水被覆層１４の機能を良好に維持することができる。
【００５２】
なお、本発明は上述の実施形態に限定されない。例えば、アンカーカバー１３は、直方体形状のもの限らず、半球状や円柱状、７面体以上の多面体形状のものであってもよい。また、山留壁構造物１は、腹起し７ａ及び７ｂを介することなく、山留壁２上で直接アンカー台座８がアンカーヘッド６を支持するものであってもよい。
【符号の説明】
【００５３】
１…山留壁構造物、２…山留壁、３…アースアンカー、３ａ…テンドン、６…アンカーヘッド、７ａ、７ｂ…腹起し、８…アンカー台座、１３…アンカーカバー、１４…防水被覆層、１５…切欠き部、１６ａ、１６ｂ…保護シート、１７ａ、１７ｂ…遮水シート、１８…ウレタン層、１９…壁面被覆部、２０…カバー被覆部、２１…腹起し被覆部、Ｅ…地盤。
【図２】
2015001074.tif 000003
【図３】
2015001074.tif 000004
【図１】
2015001074.tif 000005